(57)【特許請求の範囲】
【請求項１】
連結部と、把手と、刃と、刃保護体と、駆動部材と、摺動部材とを含む調髪用レザーであって、
前記連結部は、前端と、後端と、中間空洞部とを有し、前記前端は開口部を有し、前記開口部は前記前端から前記中間空洞部側に向かい長手方向に延びるスロットを形成しており、
前記把手は、前記連結部の前記後端に結合されており、
前記刃は、単一の刃先を有し、前記開口部に挿入され、前記スロットによって保持されており、
前記刃保護体は、前記刃の長手方向に延び、櫛状歯列を含み、前記櫛状歯列は前記刃先において、前記刃の一面に重なり、露出部分と非露出部分との交互配列を有する前記刃先を構成し、
前記駆動部材は、前記中間空洞部内に保持され、傾斜部と外部露出部分とを有し、前記外部露出部分は前記傾斜部に連なっており、
前記摺動部材は、前記刃と前記駆動部材との間に位置しており、
前記駆動部材及び前記摺動部材は、前記外部露出部分を前記中間空洞部の方向に押したとき、前記摺動部材が、前記傾斜部によって付勢され、前記露出部分または前記非露出部分の幅に対応する距離を越えて、前記開口部側に向かい長手方向に移動する関係にある
調髪用レザー。
【請求項２】
請求項１に記載された調髪用レザーであって、
前記摺動部材は前記刃に隣接し、前記刃が前記距離を越えて前記開口部側に駆動され、前記非露出部分を露出させる
調髪用レザー。
【請求項３】
請求項１に記載された調髪用レザーであって、
前記摺動部材は前記刃保護体に隣接し、前記刃保護体が前記距離を越えて前記開口部側に駆動され、前記非露出部分を露出させる
調髪用レザー。
【請求項４】
請求項１に記載された調髪用レザーであって、
前記連結部及び前記把手は、互いに独立する
調髪用レザー。
【請求項５】
請求項１に記載された調髪用レザーであって、
前記連結部及び前記把手は、互いに一体化されている
調髪用レザー。
【請求項６】
請求項１に記載された調髪用レザーであって、
前記把手は後端部にリング状開口部を含む
調髪用レザー。
【請求項７】
請求項１に記載された調髪用レザーであって、
前記把手の後端部は、ひれ状に傾斜付けられている
調髪用レザー。
【請求項８】
請求項１に記載された調髪用レザーであって、
前記連結部は、更にレール部を含み、前記レール部は前記スロットの長手方向内にあり、前記摺動部材は前記レール部の内部において摺動し、前記刃及び前記刃保護体を前記スロットの約中間部まで押し出す
調髪用レザー。
【請求項９】
請求項１に記載された調髪用レザーであって、
前記連結部は、更に、レール部を含み、前記レール部は、前記スロットの長手方向に沿っており、前記摺動部材は前記レール部の内部において摺動し、前記刃及び前記刃保護体を前記スロットの約中間部まで押し出す
調髪用レザー。
【請求項１０】
請求項１に記載された調髪用レザーであって、
前記駆動部材は、前記中間空洞部内で、軸受け部の周りに回動する
調髪用レザー。
【請求項１１】
請求項１に記載された調髪用レザーであって、
前記駆動部材は、前記中間空洞部内において、案内部に沿って動く
調髪用レザー。
【発明の詳細な説明】
【０００１】
【発明の属する技術分野】
本発明は、調髪用レザーに関し、更に具体的には、駆動機構及び摺動機構を有する純機械的な調髪用レザーに関する。
【０００２】
【従来の技術】
理容師またはヘアスタイリストにとって、重要な道具類の１つは、レザーである。レザーは、最初は、顔のひげそり及びうなじの髪を短くカットする手段として用いられていたが、長年の間に、その構造及び用法が、大きく変化した。
【０００３】
１つの典型的な例は、調髪用レザー（スインナー．レザーまたはヘア．トリミング．レザー）と称される実用器具である。この調髪用レザーは、伝統的な髪鋏と異なって、毛髪を減少させるように梳き、それによって毛量を減少させたように見せることができる。
【０００４】
調髪用レザーは、髪鋏と異なって、滑らかで、優雅なヘアスタイルを実現することができる。その理由は、一本一本の毛髪が、毛髪の自然な流れに応じた角度で下向きに梳き切られるからである。調髪用レザーは、基本的には、把手と、刃とからなる。刃は、櫛状歯列によって、交互に覆われている。この基本的な概念は、新しいものではなく、以下に述べる種々の特許公報にも記載されている。
【０００５】
米国特許第4,441,252号は、へア．トリミング装置を開示している。このヘア．トリミング装置は、一般的な２重レザー刃と、２つのベース板部材と、把手とを含んでいる。２つのベース板部材は、連結片（ペグ）によって、互いに結合され、それによって、ハウジングを形成する。ハウジングは、間に挟まれた刃を保持する。
【０００６】
ベース板部材は、複数の切欠部を備えており、切欠部の間で、櫛状歯を構成する。把手は２つの腕部を備えており、各腕部は凹部を有する。これらの凹部は腕部間にハウジングを保持するように、突出部材に欠け止められる。
【０００７】
次に、米国特許第5,461,780号は、自分で操作できる把手なしのヘア．トリミング装置を開示している。このヘア．トリミング装置は、複数の一般的なレザー刃と、ベース部材と、背当て部材とを含んでいる。前記ベース部材及び背当て部材は、親ねじと、カップ状ナットによって互いに結合され、それによって、１つのハウジングを形成する。前記ハウジングは、その間に挟み込まれた状態で、刃を保持する。ベース部材は、長さの異なる櫛状歯を備えている。
【０００８】
上述した米国特許第4,441,252号公報及び米国特許第5,461,780号公報は、次に述べる特性（ａ）〜（ｄ）が確実に解決されるものではないので、プロの理容師またはヘア．スタイリストによって使用されることを、意味するものでないことは明らかである。
（ａ）迅速、かつ、安全な刃交換の可能性
（ｂ）刃全体の経済的使用
（ｃ）用途の多様性
（ｄ）保持のし易さ
米国特許第3,805,381号は、調髪装置を開示している。この調髪装置は、把手と、カッティング手段と、髪梳き手段と、押しボタン手段とを含んでいる。前記把手は自由端に向かって細くなっていて、細くなっている自由端が髪分け部分として用いられる。カッティング手段は刃を有しており、刃は刃保持部によって保持されている。刃保持部は凹部に固定されており、凹部は角度を付けた歯を有する。押しボタン手段は、スロット内に摺動可能に搭載され、矢印が付けられている。刃が、刃保持部内に十分に挿入された場合、前記矢印が基準識別標識に一致する。この基準識別標識に近くに、第２の識別標識があり、これらの２つの識別標識の間の距離が１つの歯の幅に対応している。従って、押しボタンを摺動させ、矢印を第２の識別標識に合わせると、最初に歯の後方に位置決めされていた刃が露出する。これにより、刃の使用寿命が２倍になる。前記押しボタン手段は、また、刃を、刃保持部の外部に押し出し、新しい刃を挿入できる用にするために採用されている。
【０００９】
米国特許第3,805,381号は、その刃の使用寿命を２倍にすることができるが、切断手段に関わる押しボタン手段の機構が簡単ではなく、矢印を第２の識別標識に確実に位置合わせするに当たって、使用者は、装置内の小さい部分に注意を集中しなければならず、切断手段に関わる押しボタン手段の機構は、操作が簡単ではない。しかも、把手が細くなっているという特徴的な設計のために、当該装置の保持性、及び、操作性が、むしろ悪くなっている。
【００１０】
特開平１１ー０９００６０号公報は、把手と、レザー挿入部と、交換可能なレザーとを含むレザーホルダを開示している。このホルダは１つの孔を有しており、使用者は、操作を容易にするために、指をこの孔に挿入することができる。交換可能なレザーは、挿入部に挿入されて保持されるものであって、その構造部分として、櫛状歯を有している。
【００１１】
特開平８ー３０９０４５号公報は、交換可能なレザーが小さい窓部を有していて、この窓部を通して、刃を長手方向に移動させることができ、それによって、刃の非露出部分を露出させ、使用寿命を２倍にした髪梳きレザーを開示している。その他の点は、特開平１１ー０９００６０号公報に開示された装置と同じである。
【００１２】
しかしながら、上述した２つの交換可能なレザーは、製造コスト及び小売り販売価格はかなり高価であり、その内でも、特開平１１ー０９００６０号公報に開示された装置は、刃の全長を使用することさえできない。
【００１３】
【発明が解決しようとする課題】
本発明の課題は、製造の容易な一般的な調髪用レザー交換刃を用いることができる調髪用レザーを提供することである。
【００１４】
本発明のもう一つの課題は、使用寿命を２倍にし得る調髪用レザーを提供することである。
【００１５】
【課題を解決するための手段】
上述した課題を解決するため、本発明に係る調髪用レザーは、連結部を含んでいる。この連結部は、駆動機構と、摺動機構と、把手と、刃保護体とを含んでいる。
【００１６】
前記連結部は、長手方向を持ち、一端が前端、反対側が後端である。前記連結部は、前記前端と前記後端との間に空洞部を有する。また、前記連結部の前記前端は、開口部を有する。この開口部は前記連結部の前記空洞部に向かって延びている。この開口部の形状は、細長間隙である。前記連結部の後端部は、前記把手部に装着されている。
【００１７】
前記連結部の前記前端は開口部を有し、この開口部は前記連結部の前記空洞部に向かって延び、細長間隙を形成しているから、単一の刃先を有する刃を、開口部に挿入し、刃が動かなくなる位置まで、連結部の中間空洞部の方向に向かって摺動させながら押し、長孔状スロット内に保持することができる。
【００１８】
上述した連結部及び刃によれば、本発明に係る調髪用レザーを、一般的な交換刃と組み合わせて用いることができる。そのような刃は、一般的に薄い金属条片であり、一端縁が非常に鋭利に加工されている。この刃の長さは、ほぼ長孔状スロットの長さとほぼ同じである。このような刃は、製造工程が少なくて済むと共に、材料も非常に少なくて済むので、安価である。
【００１９】
前記刃保護体は、前記刃の長手方向に延び、櫛状歯列を含んでいる。前記櫛状歯列は前記刃先において、前記刃の一面に重なる。このような構造を採用することにより、櫛状歯により、刃先が露出部分と非露出部分との交互配列を有するように、刃先の部分を交互に覆うようになる。
【００２０】
前記駆動部材は前記連結部の中間空洞部内に配置されている。この駆動部材はその表面の一つが傾斜面であり、表面の他方が外部表面を構成するように作製されている。前記傾斜面は前記外部表面に連続している。前記摺動部材は、前記刃と、駆動部材との間に位置決めされている。
【００２１】
上述したように、本発明に係る調髪用レザーは、他の構成要件と共に、駆動部材と摺動部材とを含む。前記駆動部材は連結部の中間空洞部内に位置決めされ、摺動部材は挿入された刃と前記駆動部材との間に位置決めされている。
【００２２】
駆動部材の外部露出面を連結部の中間空洞部の方向に押した場合、駆動部材の傾斜面が摺動部材を押し、摺動部材を、連結部の前端にある開口部に向かって、長手方向に移動させる。摺動部材は、露出部分または比露出部分の幅に対応した距離だけ動く。
【００２３】
上述した駆動部材と摺動部材との間の相関関係によれば、単に駆動部材の外部露出面を押すだけで、鋭利な刃先の非露出部分を外部に露出させ、刃の使用寿命を２倍にし得る単一刃を有する調髪用レザーを提供することができる。
【００２４】
本発明の他の目的、構造的特徴及び利点について、本発明の好ましい実施例を図示する添付図面を参照し、更に、詳しく説明する。
【００２５】
【発明の実施の形態】
図１を参照すると、本発明に係る調髪用レザーは、連結部１０と、把手２０と、刃３０と、刃保護体４０と、駆動部材１１０と、摺動部材１２０とを含んでいる。
【００２６】
図２は本発明に係る調髪用レザーの連結部１０を示す。連結部１０は、前端から後端部に向かう長手方向を有すると共に、上面１０１及び下面１０２を有する。前端と後端部との間には、中間空洞部１３０が形成されている。この中間空洞部１３０は下面１０２に開口している。連結部１０の前端には、開口部１０３が備えられている。この開口部１０３は前端から中間空洞部１３０まで延び、連結部１０の下面１０２において長手方向に開口し、細長間隙１００を形成する。連結部１０の後端部にはスルーホール１１５が備えられている。
【００２７】
図３は本発明に係る調髪用レザーの把手２０を示す斜視図である。調髪用レザーの把手２０は、長手方向を持ち、前端から反対側の後端まで延びている。前端は開口部２０２を有すると共に、スルーホール２１５を備える。連結部１０の後端部は、把手２０の開口部２０２の内部に挿入され、把手２０のスルーホール２１５が、連結部１０のスルーホール１１５に位置合わせされる。把手２０及び連結部１０は、スルーホール２１５、１１５に挿入されるピンによって固定される。
【００２８】
図４は本発明に係る調髪用レザーに含まれる刃３０を示している。刃３０は、長辺の一方が鋭利な刃先３０４を構成するように、通常の方法によって加工された金属薄片３０１を含んでいる。刃先３０４とは反対側の長辺には、刃３０を補強するため、裏打ち条片３０２が折り曲げられ、重ねられている。刃先３０４とは反対側の端部は折り返し端部３０５を構成する。上述した刃によれば、本発明に係る調髪用レザーを、一般的な交換刃と組み合わせて用いることができる。そのような刃は、一般的に薄い金属条片であり、一端縁が非常に鋭利に加工されている。この刃の長さは、細長間隙１００の長さとほぼ同じである。このような刃は、製造工程が少なくて済むと共に、材料も非常に少なくて済むので、製造コストが安価であることは明らかである。
【００２９】
既に説明したように、連結部１０は開口部１０３を備える。この開口部１０３は前端から中間空洞部１３０まで延び、細長間隙１００を形成すべく、連結部１０の下面１０２において、長手方向に沿って開口している。従って、刃３０は、連結部１０の開口部１０３内に挿入され、細長間隙１００の内部に、その全長にわたって、摺動させながら、押し込むことができる。
【００３０】
図５は本発明に係る調髪用レザーに含まれる刃保護体４０を示している。刃保護体４０の長辺端部には、相互間にギャップ４０２を有する櫛状歯４０１の列が備えられている。
【００３１】
図６は本発明に係る調髪用レザーに含まれる駆動部材１１０を図示している。駆動部材１１０は、一端面が傾斜面１１２で、他の端面が外部に出る外面１１１を構成するように作製される。傾斜面１１２は外面１１１に隣接する。駆動部材１１０がスイングし得るように、軸１５０が備えられる。
【００３２】
駆動部材１１０は連結部１０の中間空洞部１３０の内部に位置決めされ、軸１５０の周りにスイングする（図２参照）。傾斜面１１２及び外面１１１は互いに連続して隣接し、外面１１１は連結部１０の下面１０２と対向している。
【００３３】
図７は、本発明に係る調髪用レザーに含まれる摺動部材１２０を示している。摺動部材１２０は内側部分１２１と外側にでる外側部分１２２とから構成される。この摺動部材１２０は、連結部１０の中間空洞部１３０の内部に位置決めされ、挿入された刃３０と駆動部材１１０との間に配置される（図２参照）。
【００３４】
図８は図１の８ー８線に沿った断面図であり、摺動部材１２０、連結部１０、刃３０及び刃保護体４０の相互関係を示している。
【００３５】
次に、図９及び図１０を参照して、駆動部材１１０及び摺動部材１２０の目的、相互関係及び機能について説明する。図９は、図１に図示された調髪用レザーに含まれる駆動部材１１０、摺動部材１２０及び刃３０について、駆動部材１１０の外面を、連結部１０に備えられた中間空洞部３０の方向に押す前の相互関係を示す図であり、図１０は図１に図示された調髪用レザーに含まれる駆動部材１１０、摺動部材１２０及び刃３０について、駆動部材１１０の外面１１１を、連結部１０に備えられた中間空洞部３０の方向に押した後の相互関係を示す図である。
【００３６】
既に説明したように、本発明に係る調髪用レザーの刃保護体は、櫛状刃４０１の列を備える長辺端部を有しており、櫛状刃４０１の列は、櫛状刃４０１の相互間にギャップ４０２を有する。これらの櫛状歯４０１は刃先３０４の一面上に重なっており、櫛状歯４０１によって、刃３０を交互に覆い、それによって、刃先３０４に、露出部分３２０及び非露出部分３１０を生じさせる。
【００３７】
本発明に係る調髪用レザーを、任意の期間、使用した後は、刃先３０４の露出部分３２０は、図９の斜線部分で示すように、最終的に、鋭さを失い、切れ味が鈍くなる。このとき、刃先３０４の非露出部分３１０を露出させることができ、そうすることが本発明において、重要なことである。この操作は、操作する人が、単に、自分の親指または他の指によって、駆動部材１１０の外面１１１に押圧力を加え、図１０に示すように、外面１１１が、連結部１０の下面とほぼ平行となるまで、外面１１１を連結部１０の中間空洞部１３０の方向に押すことによって達成することができる。
【００３８】
刃先３０４の非露出部分３１０について、上述した露出を実現するため、調髪用レザーは、他の構成要件と共に、駆動部材１１０と摺動部材１２０とを含んでいる。駆動部材１１０は連結部１０の中間空洞部１３０の内部に位置決めされており、摺動部材１２０は挿入された刃３０と駆動部材１１０との間に位置決めされている。摺動部材１２０は連結部１０の中間空洞部１３０の内部に位置する内側部分１２１、及び、中間空洞部１３０の外部に位置する外側部分１２２を有している。駆動部材１１０の外面１１１を、連結部１０の下面１０２と平行になるまで、中間空洞部１３０の方向に、矢印Ｆで示すように押した場合、駆動部材１１０の傾斜面１１２が摺動部材１２０の内側部分１２１を押し、摺動部材１２０を、連結部１０の前端にある開口部１０３に向かって、長手方向に強制的に移動させる。ここで、摺動部材１２０の内側部分１２１は刃３０の短手端縁に隣接しており、駆動部材１１０を押すことによって、摺動部材１２０を動かした場合、刃３０は、図９及び図１０に図示されているように、刃３０の刃先３０４における非露出部分３２０の幅Ｗ１に対応する距離Ｄ１だけ動く。このため、図９において、非露出部分３１０が、図１０に示すように、露出部分３２０となる。
【００３９】
図１１は本発明に係る調髪用レザーの別の実施例に含まれる駆動部材１１０、摺動部材１２０及び刃３０について、駆動部材１１０の外面１１１を、連結部１０に備えられた中間空洞部３０の方向に押す前の相互関係を示す図、図１２は本発明に係る調髪用レザーの別の実施例に含まれる駆動部材１１０、摺動部材１２０及び刃について、駆動部材１１０の外面１１１を、連結部１０に備えられた中間空洞部３０の方向に押した後の相互関係を示す図である。
【００４０】
この変形例によれば、摺動部材１２０の外側部分１２２は、刃保護体４０の短手端部に隣接し、それによって、摺動部材１１０を押すことによって、摺動部材１２０を動かした場合、刃保護体４０が、刃３０の刃先３０４における非露出部分３１０の幅Ｗ２に対応する距離Ｄ２だけ動く。
【００４１】
刃先３０４の非露出部分３１０について、上述した露出を実現するため、調髪用レザーは、他の構成要件と共に、駆動部材１１０と摺動部材１２０とを含んでいる。駆動部材１１０は連結部１０の中間空洞部１３０の内部に位置決めされており、摺動部材１２０は挿入された刃３０と駆動部材１１０との間に位置決めされている。摺動部材１２０は連結部１０の中間空洞部１３０の内部に位置する内側部分１２１、及び、中間空洞部１３０の外部に位置する外側部分１２２を有している。
【００４２】
駆動部材１１０の外面１１１を、連結部１０の下面１０２と平行になるまで、中間空洞部１３０の方向に、矢印Ｆで示すように押した場合、駆動部材１１０の傾斜面１１２が摺動部材１２０の内側部分１２１を押し、摺動部材１２０を、連結部１０の前端にある開口部１０３に向かって、長手方向に強制的に移動させる。ここで、摺動部材１２０の内側部分１２１は、刃保護体４０の短手端縁に隣接しており、駆動部材１１０を押すことによって、摺動部材１２０を動かした場合、刃保護体４０は、刃３０の刃先３０４における非露出部分３１０の幅Ｗ２に対応する距離Ｄ２だけ動く。
【００４３】
図１３は駆動部材１１０、摺動部材１２０、刃３０及び刃保護体４０について、駆動部材１１０を押す前の相互関係を示しており、図１４は駆動部材１１０、摺動部材１２０、刃３０及び刃保護体４０について、駆動部材１１０を押した後の相互関係を示している。
【００４４】
これらの図に図示するように、連結部１０は更にレール部１０５を含んでいる。摺動部材１２０はレール部１０５の上を摺動できる。レール部１０５は、連結部材１０の上面１０１と下面１０２との間において、細長間隙１００の長手方向に沿ってもうけっれており、中間空洞部１３０から、開口部１０３の方向に向かって延びている。摺動部材１２０の外側部分を、開口部１０３に向かって、長手方向に摺動させまたは押すことによって、刃３０及び刃保護体４０を、細長間隙１００の約半分の位置まで押し出すことができ、その後、刃保護体４０を、引き抜きまたは摺動によって、連結部１０から取り外すことができる。刃３０も、引き抜きによって、細長間隙１００から取り外すことができる。このため、本発明に係る調髪用レザーの刃３０を、迅速に、かつ、安全に交換し得る。
【００４５】
図１５は本発明に係る調髪用レザーに備えられた連結部の他の例を示す図で、図１６は図１３に示した連結部を用いた本発明に係る調髪用レザーの他の実施例を示している。
【００４６】
この実施例では、連結部１０及び刃保護体が１部品となっている。刃保護体４０は細長間隙１００の全長にわたって延びている。駆動部材１１０は連結部１０に備えられた中間空洞部１３０の内部に位置決めされており、摺動部材１２０は挿入された刃３０と駆動部材１１０との間に位置決めされている。
【００４７】
上述した実施例の何れかにおける摺動部材１２０、レール部１０５、刃３０及び刃保護体４０について、摺動部材２０を押す前の相互関係を示す図、図１６は上述した実施例の何れかにおける摺動部材１２０、レール部１０５、刃３０及び刃保護体４０について、摺動部材１２０を押した後の相互関係を示す図である。
【００４８】
これらの図に示すように、連結部１０はレール部１０５を備えており、このレール部１０５の全長にわたって、摺動部材１２０を摺動させることができる（図２参照）ので、このレール部１０５は細長間隙１００の長手方向に沿い、連結部１０の上面１０１と下面１０２との間に備えられ、中間空洞部１３０から開口部１０３の方向に延びている。
【００４９】
図９、１０に図示された実施例の場合のように、駆動部材１１０の外面１１１を、連結部１０の下面１０２と平行になるまで、中間空洞部１３０の方向に押した場合、駆動部材１１０の傾斜面１１２が摺動部材１２０の内側部分１２１を押し、摺動部材１２０を、連結部１０の前端にある開口部１０３に向かって、長手方向に強制的に移動させる。ここで、摺動部材１２０の内側部分１２１は、刃保護体４０の短手端縁に隣接しており、駆動部材１１０を押すことによって、摺動部材１２０を動かした場合、刃保護体４０は、刃３０の刃先３０４における非露出部分３１０の幅に対応する距離だけ動く。
【００５０】
更に、本発明に係る調髪用レザーが、分離可能な刃保護体４０を含み得ることを考慮すると、他とは区別できる特徴を持つ刃保護体、例えば、特別の幅、長さ、形状及び数を持つ櫛状歯４０１を有する刃保護体を用いることにより、髪をカットする手段とは異ならせることが可能である。
【００５１】
本発明に係る調髪用レザーは、更に、把手２０の後端にリング状開口部２０１を備える。リング状開口部２０１は、少なくとも、半分までは、一本の指を挿入するのに十分な大きさの直径を持っている。
【００５２】
把手２０のリング状開口部２０１は、本発明に係る調髪用レザーの保持性及び操作性を向上させる働きを持つ。当該調髪用レザーを扱う人の指の１つを、リング状開口部２０１に挿入し、残りの指で把手２０を握り、しっかりと保持し、調髪用レザーを床に落とすのを回避することができる。このようにして調髪用レザー保持した場合、リング状開口部２０１内に挿入した指の周りで、調髪用レザーをスイングさせ、手の平内に納めることができるので、同じ手で、例えば、櫛等の他の道具を持ち、使用することができる。
【００５３】
更に、把手２０の後端はテーパを付けられたひれ状の形状になっている。このテーパ状ひれ部はリング状開口部２０１から把手２０の遠位端まで延びている。後端に図示されたようなテーパ状ひれ部を設けることの目的は、使用者の小指または薬指をその上に載せて休ませると共に、前に述べたようにして、調髪用レザーを保持することにある。このようにすることによって、本発明に係る調髪用レザーを、更に良好な状態で保持し操作することができるようになる。図示されたようなテーパ付きひれ部によれば、調髪用レザーを、髪の毛を分けるのにも用いることができ、髪の毛を分けるために、櫛を用いる必要がなくなる。髪の毛を分ける場合、通常は櫛が用いられている。
【００５４】
更に、本発明に係る調髪用レザーが、分離可能な刃保護体４０を含み得ることを考慮すると、他とは区別できる特性を持つ刃保護体、例えば、特別の幅、長さ、形状及び数を持つ櫛状歯４０１を有する刃保護体を用いることにより、髪をカットする手段とは異ならせることが可能である。
【００５５】
図示はしないが、他の実施例として、本発明に係る調髪用レザーに含まれる駆動部材１１０を、連結部１０の中間空洞部１３０内に位置決めし、駆動部材１１０を軸１５０の周りにスイングさせる代わりに、駆動部材１１０を、案内部または摺動部等のような手段によって、連結部１０の下面の方向に摺動させ、または、移動させることもできる。
【００５６】
【発明の効果】
以上述べたように、本発明によれば、次のような効果を得ることができる。
（ａ）製造の容易な一般的調髪用レザー交換刃を用い得る調髪用レザーを提供することができる。
（ｂ）使用寿命を２倍にし得る調髪用レザーを提供することができる。
【図面の簡単な説明】
【図１】本発明に係る調髪用レザーの斜視図である。
【図２】本発明に係る調髪用レザーの連結部を示す拡大斜視図である。
【図３】本発明に係る調髪用レザーの把手を示す拡大斜視図である。
【図４】本発明に係る調髪用レザーに含まれる刃の拡大斜視図である。
【図５】本発明に係る調髪用レザーの刃保護体を示す拡大斜視図である。
【図６】本発明に係る調髪用レザーの駆動部材を示す拡大斜視図である。
【図７】本発明に係る調髪用レザーの摺動部材を示す拡大斜視図である。
【図８】図１の８ー８線に沿った本発明に係る調髪用レザーの断面図である。
【図９】図８の９ー９線に沿った拡大断面図であって、駆動部材、摺動部材及び刃について、駆動部材の外面を、連結部に備えられた中間空洞部の方向に押す前の相互関係を示す図である。
【図１０】図９に示した調髪用レザーの実施例であって、駆動部材の外面を、連結部に備えられた中間空洞部の方向に押した後の相互関係を示す図である。
【図１１】本発明に係る調髪用レザーの別の実施例を示す拡大正面図であって、駆動部材、摺動部材及び刃保護部材について、駆動部材の外面を、連結部に備えられた中間空洞部の方向に押す前の相互関係を示す図である。
【図１２】図１１に示した調髪用レザーの実施例であって、駆動部材の外面を、連結部に備えられた中間空洞部の方向に押した後の相互関係を示す図である。
【図１３】本発明に係る調髪用レザーの別の実施例を示す拡大正面図であって、駆動部材、摺動部材及び刃保護部材について、摺動部材を押す前の拡大正面図であって図である。
【図１４】図１３に示した調髪用レザーについて、摺動部材を押した後の拡大正面図である。
【図１５】本発明に係る調髪用レザーの別の実施例を示す斜視図である。
【図１６】図１５に図示された調髪用レザーに含まれる連結部材の拡大斜視図である。
【符号の説明】
１０                        連結部
２０                        把手
３０                        刃
【図１】
0004681728.tif 000002
【図２】
0004681728.tif 000003
【図３】
0004681728.tif 000004
【図４】
0004681728.tif 000005
【図５】
0004681728.tif 000006
【図６】
0004681728.tif 000007
【図７】
0004681728.tif 000008
【図８】
0004681728.tif 000009
【図９】
0004681728.tif 000010
【図１０】
0004681728.tif 000011
【図１１】
0004681728.tif 000012
【図１２】
0004681728.tif 000013
【図１３】
0004681728.tif 000014
【図１４】
0004681728.tif 000015
【図１５】
0004681728.tif 000016
【図１６】
0004681728.tif 000017